【手続補正書】
【提出日】平成26年4月11日(2014.4.11)
【手続補正１】
【補正対象書類名】特許請求の範囲
【補正対象項目名】全文
【補正方法】変更
【補正の内容】
【特許請求の範囲】
【請求項１】
基板と、
前記基板内を透過された光を変調するように構成された複数の個々にアドレス可能な干渉型光変調素子と、ここで、前記干渉型光変調素子は、可動反射層を含む、
前記基板と前記複数の個々にアドレス可能な干渉型光変調素子との間の複数の光学補正構造物と、ここで、前記複数の光学補正構造物のうちの少なくとも１つは、ディフューザを含む、
を備える、空間光変調器。
【請求項２】
平面化層をさらに備える、請求項１に記載の空間光変調器。
【請求項３】
前記複数の光学補正構造物のうちの少なくとも１つは、前記ディフューザと前記複数の個々にアドレス可能な干渉型光変調素子との間にある、請求項１又は２に記載の空間光変調器。
【請求項４】
前記ディフューザは、前記複数の光学補正構造物のうちの少なくとも１つと前記複数の個々にアドレス可能な干渉型光変調素子との間にある、請求項１又は２に記載の空間光変調器。
【請求項５】
前記複数の光学補正構造物のうちの少なくとも１つは、ブラックマスクを含む、請求項１乃至４のうちのいずれか１項に記載の空間光変調器。
【請求項６】
前記複数の光学補正構造物のうちの少なくとも１つは、カラーフィルタを含む、請求項１乃至５のうちのいずれか1項に記載の空間光変調器。
【請求項７】
前記複数の光学補正構造物のうちの少なくとも１つは、反射防止層を含む、請求項１乃至６のうちのいずれか1項に記載の空間光変調器。
【請求項８】
前記複数の光学補正構造物のうちの少なくとも１つは、複数の散乱素子を含む、請求項１乃至７のうちのいずれか1項に記載の空間光変調器。
【請求項９】
前記複数の光学補正構造物のうちの少なくとも１つは、マイクロレンズアレイを含む、請求項１乃至８のうちのいずれか1項に記載の空間光変調器。
【請求項１０】
前記複数の光学補正構造物のうちの少なくとも１つは、ホログラフィー膜を含む、請求項１乃至９のうちのいずれか1項に記載の空間光変調器。
【請求項１１】
前記複数の光学補正構造物のうちの少なくとも１つは、回折光学素子を含む、請求項１乃至１０のうちのいずれか1項に記載の空間光変調器。
【請求項１２】
前記複数の光学補正構造物のうちの少なくとも１つは、受動的光学補正構造物を含む、請求項１乃至１１のうちのいずれか1項に記載の空間光変調器。
【請求項１３】
前記基板は、部分的に透明である、請求項１乃至１２のうちのいずれか1項に記載の空間光変調器。
【請求項１４】
散乱素子を含む平面化層をさらに備える、請求項１および請求項３乃至１３のうちのいずれか1項に記載の空間光変調器。
【請求項１５】
ドライバ電子機器をさらに備える、請求項１乃至１４のうちのいずれか1項に記載の空間光変調器。
【手続補正２】
【補正対象書類名】明細書
【補正対象項目名】００５７
【補正方法】変更
【補正の内容】
【００５７】
上記の詳細な説明は、様々な実施形態に当てはまる本発明の斬新な特長を示している、説明している、及び強調している一方で、当業者は、本発明の精神を逸脱せずに、例示されたデバイス又はプロセスの形態及び詳細の様々な省略、代替、及び変更を行うことができることを理解するであろう。認識されることになるが、本発明は、本明細書において示されているすべての特長及び便益を提供することにはならない形態で具体化することができ、幾つかの特長は、その他の特長とは別個に使用又は実践することができる。
以下に、本願出願の当初の特許請求の範囲に記載された発明を付記する。
[Ｃ１]
基板と、
前記基板上方に配置され更に前記基板内を透過された光を変調するように構成された複数の個々にアドレス可能な光変調素子と、
光学補正構造物と、を具備し、前記光学補正構造物は、前記基板と前記複数のアドレス可能な光変調素子との間に配置される空間光変調器。
[Ｃ２]
前記個々にアドレス可能な光変調素子は、インターフェロメトリックモジュレータを具備する、Ｃ１に記載の空間光変調器。
[Ｃ３]
前記インターフェロメトリックモジュレータは、可動素子と、空洞と、を具備するＣ２に記載の空間光変調器。
[Ｃ４]
前記光学補正構造物は、ブラックマスクを具備するＣ１に記載の空間光変調器。
[Ｃ５]
前記光学補正構造物は、カラーフィルタを具備するＣ１又は４に記載の空間光変調器。
[Ｃ６]
前記光学補正構造物は、ディフューザを具備するＣ１又は４に記載の空間光変調器。
[Ｃ７]
前記光学補正構造物は、反射防止層を具備するＣ１に記載の空間光変調器。
[Ｃ８]
前記光学補正構造物は、複数の散乱素子を具備するＣ１に記載の空間光変調器。
[Ｃ９]
前記光学補正構造物は、マイクロレンズアレイを具備するＣ１に記載の空間光変調器。
[Ｃ１０]
前記光学補正構造物は、前記基板内を透過された前記光の入射角に関して反射色のカラーシフトを軽減させるホログラフィー膜を具備するＣ１に記載の空間光変調器。
[Ｃ１１]
前記光学補正構造物は、回折光学素子を具備するＣ１に記載の空間光変調器。
[Ｃ１２]
前記光学補正構造物は、前記基板内を透過された光が前記光学補正構造物内を通り抜けて前記光変調素子によって変調されるようにするために、前記光変調素子の前部に配置されるＣ１に記載の空間光変調器。
[Ｃ１３]
前記光学補正構造物は、散乱素子を具備する平面化層を具備するＣ１に記載の空間光変調器。
[Ｃ１４]
前記光学補正構造物は、受動的光学補正構造物である、Ｃ１に記載の空間光変調器。
[Ｃ１５]
平面化層をさらに具備するＣ１に記載の空間光変調器。
[Ｃ１６]
前記基板は、部分的に反射性であるＣ１に記載の空間光変調器。
[Ｃ１７]
基板と、
前記基板上方に配置され更に光を変調するように構成された複数の個々にアドレス可能な光変調素子と、
カラーフィルタ、ブラックマスク、及び反射防止層のうちの少なくとも１つを具備する光学補正構造物と、を具備し、
前記複数のアドレス可能な光変調素子は、前記基板と前記光学補正構造物との間に配置される空間光変調器。
[Ｃ１８]
前記個々にアドレス可能な光変調素子は、インターフェロメトリックモジュレータを具備するＣ１７に記載の空間光変調器。
[Ｃ１９]
前記インターフェロメトリックモジュレータは、可動素子と、空洞と、を具備するＣ１８に記載の空間光変調器。
[Ｃ２０]
前記光学補正構造物は、ブラックマスクを具備するＣ１７に記載の空間光変調器。
[Ｃ２１]
前記光学補正構造物は、カラーフィルタを具備するＣ１７又は２０に記載の空間光変調器。
[Ｃ２２]
前記光学補正構造物は、反射防止層をさらに具備するＣ１７に記載の空間光変調器。
[Ｃ２３]
前記光学補正構造物は、散乱素子を具備する平面化層をさらに具備するＣ１７に記載の空間光変調器。
[Ｃ２４]
前記光学補正構造物は、ブラックマスク及びディフューザを具備するＣ１７に記載の空間光変調器。
[Ｃ２５]
前記光学補正構造物は、カラーフィルタ及びディフューザを具備するＣ１７に記載の空間光変調器。
[Ｃ２６]
平面化層をさらに具備するＣ１７に記載の空間光変調器。
[Ｃ２７]
前記基板は、前記光変調素子が前記基板内を透過された光を変調するように少なくとも部分的に透明であるＣ１７に記載の空間光変調器。
[Ｃ２８]
前記基板は、少なくても部分的に反射性であるＣ１７に記載の空間光変調器。
[Ｃ２９]
空間光変調器を製造する方法であって、
光学補正構造物を透明基板上方に製造することと、
複数の個々にアドレス可能な光変調素子を前記光学補正構造物上方に製造することであって、前記個々にアドレス可能な光変調素子は、前記透明基板内を透過された光を変調するように構成されること、を具備する方法。
[Ｃ３０]
前記個々にアドレス可能な光変調素子を製造することは、空洞及び可動素子を製造することを具備するＣ２９に記載の方法。
[Ｃ３１]
第２の光学補正構造物を前記透明基板上方に製造することをさらに具備するＣ２９に記載の方法。
[Ｃ３２]
平面化層を前記光学補正構造物上方に製造することをさらに具備するＣ２９に記載の方法。
[Ｃ３３]
前記光学補正構造物を製造することは、カラーフィルタ及びディフューザのうちの少なくとも１つを製造することを具備するＣ２９に記載の方法。
[Ｃ３４]
前記個々にアドレス可能な光変調素子を製造することは、インターフェロメトリックモジュレータを製造することを具備するＣ３３に記載の方法。
[Ｃ３５]
前記光学補正構造物を製造することは、前記透明基板上に材料を蒸着し、前記透明基板内を透過された光が前記材料内を通り抜けて前記光変調素子によって変調されるようにすることを具備するＣ２９に記載の方法。
[Ｃ３６]
前記材料は、染色されたフォトレジスト又はスピンコーティングされたポリイミドを具備するＣ３５に記載の方法。
[Ｃ３７]
前記光学補正構造物を製造することは、受動的光学補正構造物を製造することを具備するＣ２９に記載の方法。
[Ｃ３８]
前記透明基板は、プラスチック及びガラスのうちの少なくとも１つを具備するＣ２９に記載の方法によって製造された空間光変調器。
[Ｃ３９]
空間光変調器を製造する方法であって、
複数の個々にアドレス可能な光変調素子を基板上方に製造することと、
光学補正構造物を前記複数の個々にアドレス可能な光変調素子上方に製造することであって、前記光学補正構造物は、カラーフィルタ、マスク、及び反射防止層のうちの少なくとも１つを具備し、前記個々にアドレス可能な光変調素子は、前記光学補正構造物内を透過された光を変調するように構成されること、とを具備する方法。
[Ｃ４０]
前記個々にアドレス可能な光変調素子を製造することは、空洞及び可動素子を製造することを具備するＣ３９に記載の方法。
[Ｃ４１]
第２の光学補正構造物を前記複数の個々にアドレス可能な光変調素子上方に製造することをさらに具備するＣ３９に記載の方法。
[Ｃ４２]
前記複数の個々にアドレス可能な光変調素子上方に平面化層を製造することをさらに具備するＣ３９に記載の方法。
[Ｃ４３]
前記個々にアドレス可能な光変調素子を製造することは、インターフェロメトリックモジュレータを製造することを具備するＣ３９に記載の方法。
[Ｃ４４]
前記基板は、プラスチック又はガラスを具備するＣ３９に記載の方法によって製造された空間光変調器。
[Ｃ４５]
透明基板と、
前記透明基板上方に配置され更に前記透明基板内を透過された光を変調するように構成された複数の個々にアドレス可能な干渉型光変調素子であって、空洞及び可動壁を具備する複数の個々にアドレス可能な光変調素子と、
前記透明基板と前記複数の個々にアドレス可能な干渉型光変調素子との間に配置された少なくとも１つの光学補正構造物であって、カラーフィルタ又はディフューザを具備する少なくとも１つの光学補正構造物とを具備する空間光変調器。
[Ｃ４６]
基板と、
前記基板内を透過された光又は前記基板から反射された光を変調する手段と、
前記基板内を透過された光又は前記基板から反射された前記光を補正する手段と、を具備し、前記光を補正する前記手段は、前記基板と前記基板内を透過された光又は前記基板から反射された前記光を補正する手段との間に動作可能な形で配置される空間光変調器。
[Ｃ４７]
前記基板内を透過された光又は前記基板から反射された光を変調する前記手段は、前記基板上方に配置された複数の個々にアドレス可能な光変調素子を具備するＣ４６に記載の空間光変調器。
[Ｃ４８]
前記基板内を透過された光又は前記基板から反射された前記光を変調する前記手段は、複数のインターフェロメトリックモジュレータを具備するＣ４６に記載の空間光変調器。
[Ｃ４９]
前記基板内を透過された前記光又は前記基板から反射された前記光を補正する前記手段は、回折光学素子、カラーフィルタ、ディフューザ、反射防止層、複数の散乱素子、マイクロレンズアレイ、又はホログラフィー膜を具備するＣ４６に記載の空間光変調器。
[Ｃ５０]
前記基板内を透過された前記光又は前記基板から反射された前記光を補正する前記手段は、カラーフィルタ又はディフューザを具備するＣ４６に記載の空間光変調器。
[Ｃ５１]
基板と、
前記基板内を透過された光又は前記基板から反射された光を変調する手段と、
前記基板内を透過された前記光又は前記基板から反射された前記光を補正する手段であって、カラーフィルタ、ブラックマスク、及び反射防止層のうちの少なくとも１つを具備する手段と、を具備し、
前記基板内を透過された光又は前記基板から反射された光を変調する前記手段は、前記基板と前記光を補正する前記手段との間に動作可能な形で配置される空間光変調器。
[Ｃ５２]
前記基板内を透過された光又は前記基板から反射された光を変調する前記手段は、前記基板上方に配置された複数の個々にアドレス可能な光変調素子を具備するＣ５１に記載の空間光変調器。
[Ｃ５３]
前記基板内を透過された光又は前記基板から反射された光を変調する前記手段は、複数のインターフェロメトリックモジュレータを具備するＣ５２に記載の空間光変調器。
[Ｃ５４]
光学補正構造物を透明基板上方に製造することと、
複数の個々にアドレス可能な光変調素子を前記光学補正構造物上方に製造することであって、前記個々にアドレス可能な光変調素子は、前記透明基板内を透過された光を変調するように構成されること、とを具備する方法によって製造される空間光変調器。
[Ｃ５５]
前記個々にアドレス可能な光変調素子を製造することは、空洞及び可動素子を製造することを具備するＣ５４に記載の空間光変調器。
[Ｃ５６]
前記方法は、第２の光学補正構造物を前記透明基板上方に製造することをさらに具備するＣ５４に記載の空間光変調器。
[Ｃ５７]
前記方法は、前記光学補正構造物上方に平面化層を製造することをさらに具備するＣ５６に記載の空間光変調器。
[Ｃ５８]
前記光学補正構造物を製造することは、カラーフィルタ及びディフューザのうちの少なくとも１つを製造することを具備するＣ５４に記載の空間光変調器。
[Ｃ５９]
前記個々にアドレス可能な光変調素子を製造することは、インターフェロメトリックモジュレータを製造することを具備するＣ５８に記載の空間光変調器。
[Ｃ６０]
前記光学補正構造物を製造することは、受動的光学補正構造物を製造することを具備するＣ５４に記載の空間光変調器。
[Ｃ６１]
複数の個々にアドレス可能な光変調素子を基板上方に製造することと、
光学補正構造物を前記複数の個々にアドレス可能な光変調素子上方に製造することであって、前記光学補正構造物は、カラーフィルタ、反射防止フィルタ及びブラックマスクのうちの１つを具備し、前記個々にアドレス可能な光変調素子は、前記光学補正構造物内を透過された光を変調するように構成されること、とを具備する方法によって製造される空間光変調器。
[Ｃ６２]
前記個々にアドレス可能な光変調素子を製造することは、空洞及び可動素子を製造することを具備するＣ６１に記載の空間光変調器。
[Ｃ６３]
前記方法は、第２の光学補正構造物を前記複数の個々にアドレス可能な光変調素子上方に製造することをさらに具備するＣ６１に記載の空間光変調器。
[Ｃ６４]
前記方法は、前記複数の個々にアドレス可能な光変調素子上方に平面化層を製造することをさらに具備するＣ６１に記載の空間光変調器。
[Ｃ６５]
前記個々にアドレス可能な光変調素子を製造することは、インターフェロメトリックモジュレータを製造することを具備するＣ６１に記載の空間光変調器。
[Ｃ６６]
第１の反射面と、第２の反射面と、両反射面間の空洞と、を含み、前記第２の反射面は、前記第１の反射面を基準して移動可能である、白黒の光変調素子と、
白光で照明時に色付きの光を透過させるように構成されたカラーフィルタと、を具備し、前記カラーフィルタは、前記光変調素子から出された光が前記カラーフィルタによってフィルタリングされるように前記光変調素子を基準にして位置決めされる表示領域。
[Ｃ６７]
前記光変調素子は、インターフェロメトリックモジュレータを具備するＣ６６に記載の表示領域。
[Ｃ６８]
前記第１の反射面を形成する光学スタックをさらに具備するＣ６６に記載の表示領域。
[Ｃ６９]
前記第１の反射面及び前記第２の反射面のうちの少なくとも１つは、部分的に反射性であるＣ６６に記載の表示領域。
[Ｃ７０]
各々が第１の反射面と、第２の反射面と、両反射面間の空洞と、を含み、前記第２の反射面は、前記第１の反射面を基準して移動可能である、複数の光変調素子と、
より広い帯域の波長で照明時により狭い帯域の波長を透過させるように構成された複数のカラーフィルタ素子を具備するカラーフィルタアレイであって、前記光変調素子から出された光が前記カラーフィルタ素子によってフィルタリングされるように前記光変調素子を基準にして位置決めされるカラーフィルタアレイと、を具備し、前記第１の反射面は、前記光変調素子が光を出すときに前記複数の光変調素子の各々に関して実質的に等しい距離だけ前記第２の反射面から分離され、前記カラーフィルタ素子のうちの少なくとも２つは、出力される異なる色を作り出すように構成される表示領域。
[Ｃ７１]
前記光変調素子は、インターフェロメトリックモジュレータを具備するＣ７０に記載の表示領域。
[Ｃ７２]
前記第１の反射面を形成する光学スタックをさらに具備するＣ７０に記載の表示領域。
[Ｃ７３]
前記カラーフィルタ素子のうちの少なくとも３つは、出力される異なる色を作り出すように構成されるＣ７０に記載の表示領域。
[Ｃ７４]
前記複数のカラーフィルタ素子は、赤、緑、及び青のカラーフィルタ素子を含むＣ７３に記載の表示領域。
[Ｃ７５]
前記複数のカラーフィルタ素子は、より広い帯域の波長で照明時により狭い帯域の波長を透過させる材料を具備するＣ７０に記載の表示領域。
[Ｃ７６]
前記材料は、染色された材料を具備するＣ７５に記載の表示領域。
[Ｃ７７]
表示デバイスを製造する方法であって、
第１の光学面と第２の光学面を含む白黒の光変調素子を提供することであって、前記第２の光学面は、前記第１の光学面を基準して移動可能であることと、
前記光変調素子から出された光がカラーフィルタによってフィルタリングされるように前記光変調素子を基準にして前記カラーフィルタを位置決めすることであって、前記カラーフィルタは、白光で照明時に色付きの光を透過させるように構成されること、とを具備する製造方法。
[Ｃ７８]
Ｃ７７に記載の方法によって製造された表示デバイス。
[Ｃ７９]
表示領域を製造する方法であって、
各々が第１の光学面と、第２の光学面と、両光学間の空洞と、を含む複数の光変調素子を提供することであって、前記第１の反射面は、前記光変調素子が光を出すときに前記複数の光変調素子の各々に関して実質的に等しい距離だけ前記第２の反射面から分離されることと、
前記光変調素子から出された光が各々のカラーフィルタ素子によってフィルタリングされるように前記光変調素子を基準にして前記カラーフィルタ素子を位置決めすることであって、前記カラーフィルタ素子は、広い帯域の波長で照明時に狭い帯域の波長を透過させるように構成された材料を具備すること、とを具備する方法。
[Ｃ８０]
光変調素子アレイを前記提供することは、インターフェロメトリックモジュレータアレイを提供することを具備するＣ７９に記載の方法。
[Ｃ８１]
Ｃ７９に記載の方法によって製造される表示領域。
[Ｃ８２]
第１の光学面及び第２の光学面を含む変調白光信号生成手段であって、前記第２の光学面は、前記第１の光学面を基準にして移動可能である手段と、
前記変調された白光信号を色付きの光信号に変換するために前記変調された白光信号をフィルタリングする手段と、を具備する表示デバイス。
[Ｃ８３]
変調された白光信号を提供する前記手段は、光変調デバイスアレイを具備し、前記第１の反射面は、前記光変調素子が光を出すときに前記複数の光変調素子の各々に関して実質的に等しい距離だけ前記第２の反射面から分離されるＣ８２に記載の表示デバイス。
[Ｃ８４]
前記白光信号をフィルタリングする前記手段は、出力される異なる色を白光から作り出すように構成された少なくとも２つのカラー素子を具備するカラーフィルタアレイを具備するＣ８２に記載の表示デバイス。